(57)【要約】【課題】紙山から取り出される紙葉について得られた情報を給紙装置に反映させて、後続の数枚に対しても所定の搬送位置に達する前にズレを矯正しうるような給紙装置を提供する。【解決手段】昇降可能なパレット、その上に取り付けられた左右方向に移動可能なパイル台、パイル台の左右に配設された紙ガイド板をもつ紙ガイド部材を有する自動平盤打抜機の打抜部へ原紙を供給するための給紙装置において、上記紙ガイド部材に、紙山の上方からその側面を通して距離限定型光学センサを付設するとともに、それによって得られた情報を入力し、それに基づいてパレット用駆動モータ、パイル台用駆動モータへの移動指令を出力し、各紙葉を正常の流れ開始位置に維持する機能を有する電子回路システムを構成させた給紙装置とする。【選択図】　図１
0003097124.tif 000002
【実用新案登録請求の範囲】
【請求項１】
昇降可能なパレット、その上に取り付けられた左右方向に移動可能なパイル台、パイル台の左右に配設された紙ガイド板をもつ紙ガイド部材を有する自動平盤打抜機の打抜部へ原紙を供給するための給紙装置において、上記紙ガイド部材に、紙山の上方からその側面を通して距離限定型光学センサを付設するとともに、それによって得られた情報を入力し、それに基づいてパレット用駆動モータ、パイル台用駆動モータへの移動指令を出力し、各紙葉を正常の流れ開始位置に維持する機能を有する電子回路システムを構成させたことを特徴とする給紙装置。
【請求項２】
距離限定型光学センサが紙山の上から２〜５番目の紙葉まで検出しうる距離限定型レーザレンサである請求項１記載の給紙装置。
【考案の詳細な説明】
【０００１】
【考案の属する技術分野】
本考案は、自動平盤打抜機の打抜部に対し、シート、厚紙、ボール紙などの原紙を紙山から円滑に供給するための改良された給紙装置に関するものである。
【０００２】
【従来の技術】
自動平盤打抜機の打抜部へ紙山から枚葉紙を供給する場合、搬送方向に対して横方向のズレを生じると、作業中に種々のトラブルを生じ、能率低下の原因となるため、このズレを矯正するための多くの考案がなされている。
【０００３】
このような考案としては、例えばパイル台上の紙山の最上部の紙端の位置を光電変換器で監視し、ズレが発見された場合、パイル台を適宜移動して基準位置へ戻す給紙装置（特許文献１参照）、パイル台からレジスターボードを介して打抜部に向けて搬送中の紙葉の後端側縁を複数の光電変換器で検知しながらパイル台を左右方向に移動調整する給紙装置（特許文献２参照）、自動平盤打抜機の打抜部へ向けて搬送中の紙の側縁を検知する複数の検出手段と、この検出結果に応じ、パイル台を左右方向に移動調整する給紙装置において、この検出手段を紙の前端側縁に沿って設けられた横見当合せ装置内に組み込んだもの（特許文献３参照）などが知られている。
【０００４】
しかしながら、従来の給紙装置においては、紙山から給紙される紙葉を、例えばレジスターボードを通過し、横針装置に到達したとき、横針装置付近に取り付けられた光電センサで紙の左右のズレを検出し、その情報信号をパイル台に送って枚葉ごとに左右のズレを矯正しているが、このような装置では、ズレを検出し、パイル台を動かして位置を矯正しているときは、レジスターボード上に数枚のズレを生じた紙葉が存在し、ズレを検出した紙葉に後続の数枚の紙葉については、ズレの検出結果が反映されていないという欠点があった。
【０００５】
【特許文献１】
実開平１−１７６６４３号公報（実用新案登録請求の範囲その他）
【特許文献２】
実開昭６０−１１９０４６号公報（実用新案登録請求の範囲その他）
【特許文献３】
特開平４−１００１３２号公報（特許請求の範囲その他）
【０００６】
【考案が解決しようとする課題】
本考案は、このような事情に鑑み、紙山から取り出される紙葉について得られた情報を給紙装置に反映させて、後続の数枚に対しても所定の搬送位置に達する前にズレを矯正しうるような給紙装置を提供することを目的としてなされたものである。
【０００７】
【課題を解決するための手段】
本考案者は、紙山の最上部の紙葉のみでなく、後続の数葉についても、所定の流れ開始位置に達したときに、検出手段からの情報に基づいてズレによる位置の乱れが矯正され、それ以降の作業が円滑に行われるような装置を開発すべく鋭意研究を重ねた結果、一対の紙ガイド板の間を通して紙山を上昇させ、枚葉ごとに流れ開始位置に供給する際、紙ガイド板部材に付設した距離限定型レーザセンサにより紙山の最上部から数葉にわたる看視を行い、得た情報に基づいてパレット及びパイル台を移動させることにより最上部の紙葉のみでなく、数葉にわたる紙葉の位置矯正を行いうることを見出し、この知見に基づいて本考案をなすに至った。
【０００８】
すなわち、本考案は、昇降可能なパレット、その上に取り付けられた左右方向に移動可能なパイル台、パイル台の左右に配設された紙ガイド板をもつ紙ガイド部材を有する自動平盤打抜機の打抜部へ原紙を供給するための給紙装置において、上記紙ガイド部材に、紙山の上方からその側面を通して距離限定型光学センサを付設するとともに、それによって得られた情報を入力し、それに基づいてパレット用駆動モータ、パイル台用駆動モータへの移動指令を出力し、各紙葉を正常の流れ開始位置に維持する機能を有する電子回路システムを構成させたことを特徴とする給紙装置を提供するものである。
【０００９】
【考案の実施の形態】
次に添付図面に従って本考案をさらに詳細に説明する。
図１は、本考案の給紙装置の１例を示す平面図であり、枠体１，１´の内側に滑動用固定金具２，２´、ねじ棒用取付金具３，３´及び紙ガイド取付シャフト４，４´を介して紙ガイド板５，５´が配設されている。上記の紙ガイド取付シャフト４，４´は支持棒６，６´及びねじ棒７，７´により支持され、これに取り付けられている紙ガイド部材は、手廻しハンドル８，８´を回転させることにより、紙山１５の側面近くから滑動用固定金具２，２´、ねじ棒用取付金具３，３´付近まで移動可能である。
【００１０】
図２は、本考案給紙装置の１例の正面図であり、昇降可能なパレット９とその上に左右移動可能に取り付けられたパイル台１０を有し、これらはパレット用駆動モータ１１，１１´及びパイル台用駆動モータ１２によりそれぞれ移動させることができる。このパイル台１０の両側には、紙ガイド板５，５´が配置されている。
【００１１】
図３は、紙ガイド部材とそれに付設されている距離限定型レーザセンサ１３の関係を示す斜面図で、紙ガイド板５は、紙ガイド板取付金具１４により紙ガイド取付シャフト４，４´に固定され、かつ紙ガイド取付シャフト４，４´は滑動用固定金具２，２´及びねじ棒用取付金具３，３´に固定され、これらの紙ガイド板５，５´、紙ガイド取付シャフト４，４´、滑動用固定金具２，２´及びねじ棒用取付金具３，３´が一体となって紙ガイド部材を構成し、これが支持棒６，６´に滑動可能に支持され、ねじ棒７，７´を介して紙ガイド操作ハンドル８，８´により左右方向に移動しうるようになっている。この紙ガイド部材には、下方に向けてレーザ照射可能な位置にレーザセンサ１３が付設され、紙山１５の側面を検出しうるようになっている。
【００１２】
このような構造の給紙装置を用いて、自動平盤打抜機の打抜部へ原紙を供給するには、先ずパイル台１０上に紙山１５を載置し、パレット用駆動モータ１１，１１´を作動させて、紙山１５の最上面を検知するセンサ１３が感応する位置まで上昇させる。
次いで、手廻しハンドル８，８´を回転させて左右の紙ガイド板５，５´を移動させ、紙山１５の側面から約２〜５ｍｍの距離になるまで接近させる。この程度の間隔を設ければ、紙山１５の昇降に支障を生じることはない。
また、この位置では、紙ガイド部材に付設したレーザセンサ１３，１３´の左右いずれのレーザ光も、紙山１５の最上部から２〜５番目の紙葉に達する程度の距離限定型のものを用いるのが好ましい。
【００１３】
このように条件を設定して、自動平盤打抜機を運転すると、原紙は枚葉ごとに打抜部へ向けて搬送され、パイル台１０上の紙山１５は次第に減少し、それとともにパレット９は上昇する。この際、紙山１５の積み方が悪く、例えば右側にずれていると、右側のレーザセンサ１３がそのズレを検知し、その情報が電子回路システムを経由してパイル台用駆動モータ１２へ伝えられ、パイル台１０が左側へ移動するように動作する。
【００１４】
この場合、レーザセンサ１３が検知するのは最上部の紙葉ではなく、それよりも数枚下の紙葉なので、これが最上部に達する前に、紙山１５の左右位置の矯正が完了することになる。
【００１５】
【考案の効果】
パイル台に積載されたレジスターボードに送られる直前の紙葉が常に一定の位置に配置されるため、打ち抜きの見当精度を向上させ、作業効率を高めることができる。
【図面の簡単な説明】
【図１】本考案の給紙装置の１例の平面図
【図２】本考案の給紙装置の１例の正面図。
【図３】本考案の紙ガイド部材の１例の斜面図。
【符号の説明】
１，１´　枠体
２，２´　滑動用固定金具
３，３´　ねじ棒用取付金具
４，４´　紙ガイド取付シャフト
５，５´　紙ガイド板
６，６´　支持棒
７，７´　ねじ棒
８，８´　手廻しハンドル
９　パレット
１０　パイル台
１１，１１´　パレット用駆動モータ
１２　パイル台用駆動モータ
１３　レーザセンサ
１４　紙ガイド板取付金具
１５　紙山
【図１】
0003097124.tif 000003
【図２】
0003097124.tif 000004
【図３】
0003097124.tif 000005